(57)【要約】【課題】スーツケースの蓋体に内設されるキャリーハンドル装置を提供する。【解決手段】本発明に係るキャリーハンドル装置は、ケース本体と、蓋体とを備えるスーツケースの蓋体に内設され、ケース本体の深さが蓋体の深さよりも深いことにより、深さの深い側と深さの浅い側は非対称構造に形成されており、蓋体に収納装着するための内凹状の収容凹部が設けられている。これにより、キャリーハンドルをケース本体の内部に設置してもでこぼこを解決し、衣類の配置に不便と困惑を引き起こして使用に影響を与える課題を解決することができる。キャリーハンドルを蓋体の内部に設置するため、衣類をスーツケースのケース本体内に整然と並列に収めておくことができ、スーツケースのケース本体の内部での物品配置の実用性と利便性を向上させることができる。【選択図】図７
2018110832.tif 000002
【特許請求の範囲】
【請求項１】
ケース本体と、蓋体とを備えるスーツケースの前記蓋体に内設されるキャリーハンドル装置であって、
前記ケース本体の深さが前記蓋体の深さよりも深いことにより、深さの深い側と深さの浅い側は非対称構造に形成され、
前記蓋体にキャリーハンドルを収納装着するための内凹み状の収容凹所が設けられ、
前記キャリーハンドルは、シングルバーまたはダブルバーを使用することにより、前記蓋体の内部に設置可能であることを特徴とするスーツケースの蓋体に内設されるキャリーハンドル装置。
【請求項２】
前記ケース本体と、前記蓋体との間に２つの蝶番が設けられることにより、前記蓋体は、前記２つの蝶番を利用して前記ケース本体を開放または閉鎖することを特徴とする請求項１に記載のスーツケースの蓋体に内設されるキャリーハンドル装置。
【請求項３】
前記ケース本体と、前記蓋体との間に対応する２つの雄係止具と２つの雌係止具とが設けられることにより、前記蓋体は、当該雄係止具と当該雌係止具とを利用して前記ケース本体を開錠または施錠することを特徴とする請求項１に記載のスーツケースの蓋体に内設されるキャリーハンドル装置。
【請求項４】
前記ケース本体の頂部と側辺箇所に２つの把手が設けられることにより、使用者が上方または側辺の２つの把手を利用して前記スーツケースを便利に握って持ち運び可能としたことを特徴とする請求項１に記載のスーツケースの蓋体に内設されるキャリーハンドル装置。
【請求項５】
前記ケース本体と、前記蓋体とは、それぞれ４つの隅箇所に前記ケース本体と前記蓋体とを保護するために用いられる４つのコーナーパッドが設けられることを特徴とする請求項１に記載のスーツケースの蓋体に内設されるキャリーハンドル装置。
【請求項６】
前記スーツケースの前記ケース本体及び前記蓋体は、硬質または軟質のいずれか１種の材料からなるものであり、ＡＢＳ（アクリロニトリル・ブタジエン・スチレン共重合体）、ＰＣ（ポリカーボネート）、ＰＶＣ（ポリ塩化ビニル）、ＰＰ（ポリプロピレン）及びＰＥＴ（ポリエチレンテレフタレ-ト）からなる硬質材料の群から選択され、オックスフォードクロス、ＰＵ（ポリウレタン）合成皮革及び真皮革からなる軟質材料の群から選択されることを特徴とする請求項１に記載のスーツケースの蓋体に内設されるキャリーハンドル装置。
【請求項７】
前記スーツケースの前記ケース本体と、前記蓋体とは、アルミニウム合金材質から作製されることを特徴とする請求項１に記載のスーツケースの蓋体に内設されるキャリーハンドル装置。
【発明の詳細な説明】
【技術分野】
【０００１】
本発明は、スーツケースの蓋体に内設されるキャリーハンドル装置に関するものであり、さらに詳しくは、衣類をケース本体内に整然と配置することができるスーツケースに適用可能なキャリーハンドル装置に関するものである。
【背景技術】
【０００２】
近年、国民所得の増加、及び大衆のレジャー旅行に対する意識の台頭に伴い、国内のみならず海外への旅行の人数もますます多くなりつつある。なお、一般的な出張のみならず旅行にも、キャリーハンドル式スーツケースは、既に常時持ち歩く必需品にまでなってきている。従来、市販でよく見られるキャリーハンドル式スーツケースは、その構造がスーツケースのケース本体の底部に車輪を設置するものにすぎないと同時に、ケース本体の上方に取り付けられた伸縮位置決め機能を有する逆Ｕ字状のキャリーハンドルに合わせて使用時、単にキャリーハンドルを上向きに引き出して位置決めすれば、使用者が便利に歩きながらスーツケースを牽引する一方、不使用時、単にキャリーハンドルを下向きにスーツケースのケース本体の内部に押し込めればよい。キャリーハンドル式スーツケースは操作にも使用にも相当に簡単かつ容易であるため、出張者から旅行者まで幅広く愛用されているので、市場上、相当多い需要量を占めている。
【０００３】
ただ、従来のキャリーハンドル式スーツケースは、操作上と使用上は、非常に便利だが、美観性と平整性の考慮に基づいて、逆Ｕ字状のキャリーハンドルが設置される位置が
丁度スーツケースのケース本体の衣類と物品の収容場所であるため、スーツケースのケース本体に逆Ｕ字状のキャリーハンドルを遮蔽し、被覆するための１枚の裏地布をミシン縫いして付設する必要がある。キャリーハンドルにより、スーツケースのケース本体の内部の空間を占用してしまうだけでなく、スーツケースの内部がでこぼこして平らでなくなるら、衣類の配置に不便さを引き起こしてキャリーハンドル式スーツケースの実用性と利便性を低下させるという既に存在の克服解決を要する問題と欠点がある。
【０００４】
伝統的な従来のキャリーハンドル式スーツケースは、既に三、四十年の歴史を持つが、消費者が使用上、よく遭遇するキャリーハンドルにより平らでなくなるから、衣類の配置の不揃いによって極めて大きな不便と困惑を生じる。しかし、現在、フランスの有名なブランドであるルイ・ヴィトン（Ｌｏｕｉｓ  Ｖｕｉｔｔｏｎ）は、既にキャリーハンドル３１をケース本体３２の内部の両側辺箇所に設置する１種類のスーツケース３０を設計した（図１、図２参照。）。キャリーハンドル４１をケース本体４２の外部の両側辺箇所に設置する別の種類のスーツケース４０があった（図３、図４参照。）。しかしながら、２種類の新たなスーツケース３０，４０は、キャリーハンドル３１，４１の幅をスーツケース３０，４０のケース本体３２，４２の内部または外部の幅に合わせなければならないので、キャリーハンドル３１，４１の幅が広すぎて、実際の操作上、キャリーハンドル３１，４１の幅が広すぎると、左右不均衡となり、キャリーハンドル３１，４１を円滑に引き出したり、縮み込んだりすることができない状況が発生していた。これが既に存在する克服解決を要する問題と欠点である。
【発明の概要】
【発明が解決しようとする課題】
【０００５】
従って、本発明の課題は、衣類をスーツケース体内に整然と配置することができ、キャリーハンドルによってでこぼこして平らでなくなることから、衣類の配置に不便と困惑を引き起こすことのない、スーツケースの蓋体に内設されるキャリーハンドル装置を提供することにある。
【課題を解決するための手段】
【０００６】
そこで、本発明者は、本発明の前記課題を解決するために鋭意検討を重ねた結果、キャリーハンドルを蓋体に収容装着可能な内凹状の収容凹部を設けることにより前記課題を解決できる点に着目し、かかる知見に基いて本発明に想到するに至った。
かくして、本発明の要旨は、次の(１)〜（７）に記載の通りのものである。
【０００７】
（１）ケース本体と、蓋体とを備えるスーツケースの前記蓋体に内設されるキャリーハンドル装置であって、
前記ケース本体の深さが前記蓋体の深さよりも深いことにより、深さの深い側と深さの浅い側は非対称構造に形成され、
前記蓋体にキャリーハンドルを収納装着するための内凹み状の収容凹所が設けられ、
前記キャリーハンドルは、シングルバーまたはダブルバーを使用することにより、前記蓋体の内部に設置可能であることを特徴とするスーツケースの蓋体に内設されるキャリーハンドル装置。
【０００８】
（２）前記ケース本体と、前記蓋体との間に２つの蝶番が設けられることにより、前記蓋体は、前記２つの蝶番を利用して前記ケース本体を開放または閉鎖することを特徴とする前記（１）に記載のスーツケースの蓋体に内設されるキャリーハンドル装置。
【０００９】
（３）前記ケース本体と、前記蓋体との間に対応する２つの雄係止具と２つの雌係止具とが設けられることにより、前記蓋体は、当該雄係止具と当該雌係止具とを利用して前記ケース本体を開錠または施錠することを特徴とする前記（１）に記載のスーツケースの蓋体に内設されるキャリーハンドル装置。
【００１０】
（４）前記ケース本体の頂部と側辺箇所に２つの把手が設けられることにより、使用者が上方または側辺の２つの把手を利用して前記スーツケースを便利に握って持ち運び可能としたことを特徴とする前記（１）に記載のスーツケースの蓋体に内設されるキャリーハンドル装置。
【００１１】
（５）前記ケース本体と、前記蓋体とは、それぞれ４つの隅箇所に前記ケース本体と前記蓋体とを保護するために用いられる４つのコーナーパッドが設けられることを特徴とする前記（１）に記載のスーツケースの蓋体に内設されるキャリーハンドル装置。
【００１２】
（６）前記スーツケースの前記ケース本体及び前記蓋体は、硬質または軟質のいずれか１種の材料からなるものであり、ＡＢＳ（アクリロニトリル・ブタジエン・スチレン共重合体）、ＰＣ（ポリカーボネート）、ＰＶＣ（ポリ塩化ビニル）、ＰＰ（ポリプロピレン）及びＰＥＴ（ポリエチレンテレフタレ-ト）からなる硬質材料の群から選択され、オックスフォードクロス、ＰＵ（ポリウレタン）合成皮革及び真皮革からなる軟質材料の群から選択されることを特徴とする前記（１）に記載のスーツケースの蓋体に内設されるキャリーハンドル装置。
【００１３】
（７）前記スーツケースの前記ケース本体と、前記蓋体とは、アルミニウム合金材質から作製されることを特徴とする前記（１）に記載のスーツケースの蓋体に内設されるキャリーハンドル装置。
【００１４】
本発明の課題を解決するために応用する技術手段及び先行技術と比較した効果は次のとおりである。即ち、ケース本体と、蓋体とを備えるスーツケースは、ケース本体の深さが蓋体の深さよりも深いことにより、深さの深い側と深さの浅い側は非対称構造に形成されており、蓋体にキャリーハンドルを収納装着するための内凹み状の収容凹所が設けられており、キャリーハンドルは、シングルバーまたはダブルバーを使用してもよいことで、キャリーハンドルを蓋体の内部に設置可能であることを特徴とするものを指し、これにより、キャリーハンドルをケース本体の内部に設置してでこぼこして平らでないから、衣類の配置に不便と困惑を引き起こして使用に影響を与える課題を解決し、キャリーハンドルを蓋体の内部に設置するため、衣類をスーツケースのケース本体内に整然と並列に収めておくことができ、スーツケースのケース本体の内部での物品配置の実用性と利便性を向上させることができ、効果上の増進を図ることができる。
【００１５】
その中、ケース本体と蓋体との間に２つの蝶番が設けられることで、蓋体は、前記２つの蝶番を利用してケース本体を開放または閉成することができる。
【００１６】
その中、ケース本体と蓋体との間に対応する２つの雄係止具と２つの雌係止具とが設けられることで、蓋体は、雄係止具と雌係止具とを利用してケース本体を開錠または施錠することができる。
【００１７】
その中、ケース本体の頂部と側辺箇所に２つの把手が設けられることで、使用者が上方または側辺の２つの把手を利用してスーツケースを便利に握って持ち運ぶことができる。
【００１８】
その中、ケース本体と、蓋体とは、それぞれ４つの隅箇所にケース本体と蓋体とを保護するために用いられる４つのコーナーパッドが設けられる。
【００１９】
その中、スーツケースのケース本体と、蓋体とは、硬質または軟質のいずれか１種の材料から選択して作製され、硬質材料としては、ＡＢＳ（アクリロニトリル・ブタジエン・スチレン共重合体）、ＰＣ（ポリカーボネート）、ＰＶＣ（ポリ塩化ビニル）、ＰＰ（ポリプロピレン）、ＰＥＴ（ポリエチレンテレフタレ-ト）から選択して使用され、軟質材料としては、オックスフォードクロス、ＰＵ（ポリウレタン）合成皮革、真皮革から選択して使用される。
【００２０】
その中、スーツケースのケース本体と、蓋体とは、アルミニウム合金材質から作製される。
【図面の簡単な説明】
【００２１】
【図１】従来技術に係るキャリーハンドル装置の前面図である。
【図２】従来技術に係るキャリーハンドル装置の側面図である。
【図３】従来技術に係るキャリーハンドル装置の側面図である。
【図４】従来技術に係るキャリーハンドル装置の前面図である。
【図５】本発明の一実施形態に係るキャリーハンドル装置の前面斜視図である。
【図６】本発明の一実施形態に係るキャリーハンドル装置の後面斜視図である。
【図７】本発明の一実施形態に係るキャリーハンドル装置の開成状態の斜視組立図である。
【図８】本発明の一実施形態に係るキャリーハンドル装置の側面断面組立図である。
【図９】図８のＢ−Ｂ線の断面図である。
【図１０】本発明の一実施形態に係るキャリーハンドル装置の使用状態図である。
【発明を実施するための形態】
【００２２】
図５〜図７は、それぞれ本発明の前面斜視図、その後面斜視図、本発明の開成状態の斜視組立図であり、図８は、本発明の側面断面組立図であり、図９は、図８のＢ−Ｂ線の断面図である。以下、本発明のスーツケースの蓋体に内設されるキャリーハンドル装置について、これらの図面を参照して説明する。
【００２３】
スーツケース１０は、ケース本体１１と、蓋体１２とから構成され、ケース本体１１と、蓋体１２とは、硬質材料または軟質材料若しくはアルミニウム合金のいずれか１種から選択した材質で作製され、硬質材料としては、ＡＢＳ（アクリロニトリル・ブタジエン・スチレン共重合体）、ＰＣ（ポリカーボネート）、ＰＶＣ（ポリ塩化ビニル）、ＰＰ（ポリプロピレン）、ＰＥＴ（ポリエチレンテレフタレ-ト）から適宜選択して使用されてもよく、軟質材料としては、オックスフォードクロス、ＰＵ（ポリウレタン）合成皮革、真皮革などから適宜選択して使用されてもよい。
【００２４】
スーツケース１０のケース本体１１の片側に必要に応じて開閉できるための蓋体１２が設けられている。ケース本体１１と蓋体１２との間に２つの蝶番１３が設けられることで、蓋体１２は、前記２つの蝶番１３を利用してケース本体１１を開放または閉成することができる。ケース本体１１と蓋体１２との間にさらに対応する２つの雄係止具１４と２つの雌係止具１５とが設けられることで、蓋体１２は、２つの雄係止具１４と２つの雌係止具１５とを利用してケース本体１１を開錠または施錠することができる。ケース本体１１の頂部と側辺箇所に２つの把手１６が設けられることで、使用者が上方または側辺の２つの把手１６を利用してスーツケース１０を便利に握って持ち運ぶことができる。ケース本体１１と、蓋体１２とは、それぞれ４つの隅箇所にケース本体１１と蓋体１２とを保護するために用いられる４つのコーナーパッド１７が設けられる。ケース本体１１と蓋体１２の底部の４つの隅箇所に４つのキャスター１８が設けられることで、使用者が４つのキャスター１８を利用してスーツケース１０を便利に移動させることができる。
【００２５】
その特徴は、ケース本体１１の深さが蓋体１２の深さよりも深いことにより、深さの深い側と深さの浅い側は非対称構造に形成されており、蓋体１２の内部にキャリーハンドル２０が設けられ、キャリーハンドル２０はシングルバーまたはダブルバーを選択使用してもよい。ダブルバーのキャリーハンドル２０は、上座２１と、下座２２と、２つのスリーブ２３と、２つの伸縮管２４と、把手２５とを有し、蓋体１２内の頂部での上座２１に対応する箇所に上座２１を収納装着するための内凹み状の収容凹所１９が設けられており、下座２２を蓋体１２の内部の下方箇所に固定し、２つのスリーブ２３を上座２１と下座２２の両側箇所に固設し、２つの伸縮管２４を２つのスリーブ２３の内部に嵌設し、把手２５を２つの伸縮管２４の上方箇所に固設し、把手２５上に開閉押しボタン２６が設けられ、使用者が単に開閉押しボタン２６を押し下げるだけで、２つの伸縮管２４から上向きに伸長したり、２つの伸縮管２４に下向きに退縮したりすることができ、伸長時、スーツケースを牽引して移動することができる。
【産業上の利用可能性】
【００２６】
上記の各部品構造から構成される本発明は、スーツケースの蓋体に内設されるキャリーハンドル装置を提供し、その実際の操作応用は次のとおりである。
【００２７】
図１０は、本発明の使用状態図である。図１０に示すように、本発明は、キャリーハンドル２０を蓋体１２の内部に設置するため、使用者の衣類１をスーツケース１０のケース本体１１内に整然と配置することができる。これにより、伝統的なスーツケースにおいて、キャリーハンドルをケース本体の内部に設置してキャリーハンドルによってでこぼこして平らでないから、衣類の配置に不便と困惑を引き起こして使用に影響を与える課題を解決し、それに対して本発明は、キャリーハンドル２０をスーツケース１０の蓋体１２の内部に設置するため、衣類１をスーツケース１０のケース本体１１内に整然と並列に収めておくことができ、スーツケース１０のケース本体１１の内部での物品配置の実用性と利便性を向上させることができる。
【符号の説明】
【００２８】
１            衣類
１０          スーツケース
１１          ケース本体
１２          蓋体
１３          蝶番
１４          雄係止具
１５          雌係止具
１６          把手
１７          コーナーパッド
１８          キャスター
１９          収容凹所
２０          キャリーハンドル
２１          上座
２２          下座
２３          スリーブ
２４          伸縮管
２５          把手
２６          開閉押しボタン
３０          スーツケース
３１          キャリーハンドル
３２          ケース本体
４０          スーツケース
４１          キャリーハンドル
４２          ケース本体
【図１】
2018110832.tif 000003
【図２】
2018110832.tif 000004
【図３】
2018110832.tif 000005
【図４】
2018110832.tif 000006
【図５】
2018110832.tif 000007
【図６】
2018110832.tif 000008
【図７】
2018110832.tif 000009
【図８】
2018110832.tif 000010
【図９】
2018110832.tif 000011
【図１０】
2018110832.tif 000012